(57)【特許請求の範囲】
【請求項１】
光伝送路を介して送信された光信号を電気信号に変換する光受信機に接続され、当該光受信機にて変換された電気信号により告知放送を行う告知放送受信機であって、
前記光受信機の電力を供給可能であり、
前記電気信号として前記光受信機から入力された告知放送信号に重畳された放送制御信号を取得する放送制御信号取得手段と、前記放送制御信号取得手段にて取得された放送制御信号に基づいて前記光受信機への電力を供給又は遮断する放送制御用電源遮断手段とを備える、
告知放送受信機。
【請求項２】
前記光受信機からの前記電気信号の入力を受ける入力端子を備え、
前記入力端子から前記光受信機に電力を供給する、
請求項１に記載の告知放送受信機。
【請求項３】
当該告知放送受信機の外部から供給された電力を当該告知放送受信機における所要の電力に変換する電源回路を備え、当該告知放送受信機の外部から供給された電力を前記電源回路を介して前記光受信機に供給する、
請求項１又は２に記載の告知放送受信機。
【請求項４】
前記告知放送受信機は、当該告知放送受信機の外部から当該告知放送受信機への電力供給が停止された場合の電源となるバックアップ電源を備え、当該バックアップ電源にて供給された電力を前記電源回路を介して前記光受信機に供給可能である、
請求項３に記載の告知放送受信機。
【請求項５】
当該告知放送受信機の外部から当該告知放送受信機への電力供給の停止を検知する電力供給停止検知手段と、
当該告知放送受信機の外部から当該告知放送受信機への電力供給の停止が前記電力供給停止検知手段によって検知されていない場合に、前記光受信機への電力を供給し、当該告知放送受信機の外部から当該告知放送受信機への電力供給の停止が前記電力供給停止検知手段によって検知されている場合に、前記光受信機への電力を遮断する、停電対応用電源遮断手段とを備える、
請求項１から４のいずれか一項に記載の告知放送受信機。
【発明の詳細な説明】
【技術分野】
【０００１】
本発明は、光伝送システムにおいて光信号を受信するための光受信システムを構成する告知放送受信機に関する。
【背景技術】
【０００２】
近年では、光通信技術の進展に伴い、光ケーブルを用いた光伝送システムが普及している。この光伝送システムによれば、数１０Ｋｍ程度の無中継伝送が可能となるため、伝送システムを容易に広域化できる。この光伝送システムは、概略的には、図５のブロック図に示すように、送信者側に配置した光送信機２００や光増幅器２０１と、受信者側に配置した光受信機（光終端端末装置、ＯＮＵ：Optical Network Unit）２０２とを、光ケーブル２０３にて構成された長距離伝送路を介して接続して構成されている。そして、ＴＶ信号や告知放送信号を混合し、この混合された電気信号を光送信機２００によって光信号に変換し、この光信号を光増幅器２０１にて増幅した後、光ケーブル２０３を介して送信する。光受信機２０２は、この光信号を受信してＲＦ信号やＦＭ信号に変換し、ＴＶ受像機２０４や告知放送受信機２０５に出力する。
【０００３】
ここで、光受信機２０２が、非停電時には電力供給を受けて動作し、停電時には動作を停止する方式の光受信機（以下、給電式の光受信機）である場合には、パワーインサータ（電力供給器）を用いて光受信機２０２への電力供給が行われていた。図６には、このような給電式の光受信機を用いた光受信システムのブロック図を示す。この図６に示すように、光受信機２０２とＴＶ受像機２０４との間にパワーインサータ２０６を配置し、商用電源からＡＣアダプタ２０７を介してＤＣ電力をパワーインサータ２０６に供給し、このパワーインサータ２０６から光受信機２０２に直流電力を供給していた。また、この図６に示すように、告知放送受信機２０５への電力は、商用電源からＡＣアダプタ２０８を介して供給されていた（例えば、特許文献１には、告知放送受信機が開示されており、特許文献２には、給電式の光受信機が開示されている）。
【０００４】
一方、光受信機２０２が、非停電時には電力供給を受けて動作し、停電時には電力供給を受けることなく動作することができる方式の光受信機（以下、無給電式の光受信機）である場合にも、パワーインサータを用いて光受信機２０２への電力供給が行われていた。図７には、このような無給電式の光受信機を用いた光受信システムのブロック図を示す。この図７に示すように、光受信機２０２とＴＶ受像機２０４との間にパワーインサータ２０６を配置し、商用電源からＡＣアダプタ２０７を介してＤＣ電力をパワーインサータ２０６に供給し、このパワーインサータ２０６から光受信機２０２に直流電力を供給していた。この無給電式の光受信機２０２においては、ＲＦ信号がＴＶ信号とＦＭ信号に分配され、ＴＶ信号はＴＶ受像機２０４に供給され、ＦＭ信号は告知放送受信機２０５に供給される。また、この図７に示すように、告知放送受信機２０５への電力は、商用電源からＡＣアダプタ２０８を介して供給されていた。
【先行技術文献】
【特許文献】
【０００５】
【特許文献１】特開２００６−１２１７２９号公報
【特許文献２】特開２００７−３１２２８２号公報
【発明の概要】
【発明が解決しようとする課題】
【０００６】
しかしながら、図６のように、給電式の光受信機と告知放送受信機を備えて構成された光受信システムにおいては、光受信機に電力供給を行うために、パワーインサータと、このパワーインサータに電力を供給するＡＣアダプタが必要であった。また、停電時には、通常は告知放送受信機にはバックアップ電源が設けられているため、告知放送受信機はこのバックアップ電源から供給される電力によって非常放送等を継続的に行うことが可能である。しかしながら、停電時には、ＡＣアダプタ及びパワーインサータを介して行われる光受信機への電力供給も停止するため、光受信機が動作不能となり、光受信機から告知放送受信機へのＲＦ信号の供給を行うことができず、非常放送等を実際に継続することができなかった。あるいは、非常放送等を実際に継続するためには、光受信機にもバックアップ電源を設ける必要があった。
【０００７】
また、図７のように、無給電式の光受信機と告知放送受信機を備えて構成された光受信システムにおいても、光受信機に電力供給を行うために、パワーインサータと、このパワーインサータに電力を供給するＡＣアダプタが必要であった。
【０００８】
本発明は、上記に鑑みてなされたものであって、光受信機に電力供給を行うためのパワーインサータやＡＣアダプタを省略することができる、告知放送受信機を提供することを目的とする。
【課題を解決するための手段】
【０００９】
上述した課題を解決し、目的を達成するために、請求項１に記載の告知放送受信機は、光伝送路を介して送信された光信号を電気信号に変換する光受信機に接続され、当該光受信機にて変換された電気信号により告知放送を行う告知放送受信機であって、前記光受信機の電力を供給可能であり、前記電気信号として前記光受信機から入力された告知放送信号に重畳された放送制御信号を取得する放送制御信号取得手段と、前記放送制御信号取得手段にて取得された放送制御信号に基づいて前記光受信機への電力を供給又は遮断する放送制御用電源遮断手段とを備える。
【００１０】
請求項２に記載の告知放送受信機は、請求項１に記載の告知放送受信機において、前記光受信機からの前記電気信号の入力を受ける入力端子を備え、前記入力端子から前記光受信機に電力を供給する。
【００１１】
請求項３に記載の告知放送受信機は、請求項１又は２に記載の告知放送受信機において、当該告知放送受信機の外部から供給された電力を当該告知放送受信機における所要の電力に変換する電源回路を備え、当該告知放送受信機の外部から供給された電力を前記電源回路を介して前記光受信機に供給する。
【００１２】
請求項４に記載の告知放送受信機は、請求項３に記載の告知放送受信機において、前記告知放送受信機は、当該告知放送受信機の外部から当該告知放送受信機への電力供給が停止された場合の電源となるバックアップ電源を備え、当該バックアップ電源にて供給された電力を前記電源回路を介して前記光受信機に供給可能である。
【００１３】
請求項５に記載の告知放送受信機は、請求項１から４のいずれか一項に記載の告知放送受信機において、当該告知放送受信機の外部から当該告知放送受信機への電力供給の停止を検知する電力供給停止検知手段と、当該告知放送受信機の外部から当該告知放送受信機への電力供給の停止が前記電力供給停止検知手段によって検知されていない場合に、前記光受信機への電力を供給し、当該告知放送受信機の外部から当該告知放送受信機への電力供給の停止が前記電力供給停止検知手段によって検知されている場合に、前記光受信機への電力を遮断する、停電対応用電源遮断手段とを備える。
【発明の効果】
【００１４】
このように、請求項１に記載の告知放送受信機によれば、光受信機の電力を告知放送受信機から供給可能であるため、光受信機に電力供給を行うためのパワーインサータやＡＣアダプタを省略することができ、光受信システムを簡易かつ安価に構成することが可能となる。また、放送制御信号を取得する放送制御信号取得手段と、この放送制御信号に基づいて光受信機への電力を供給又は遮断する放送制御用電源遮断手段とを備えたので、光受信機をいわゆるアドレッサブルＯＮＵとして使用することが可能になり、ＴＶ放送の遮断や復旧を遠隔制御することができる。
【００１５】
また、請求項２に記載の告知放送受信機によれば、光受信機から告知放送受信機に電気信号を伝送するための伝送路を介して、告知放送受信機から光受信機に電力を供給するので、光受信機と告知放送受信機とを従来と同様に接続するだけで、光受信機の電力を告知放送受信機から供給でき、電力供給用の特別な経路を設ける必要がないので、光受信システムを一層簡易かつ安価に構成することが可能となる。
【００１６】
また、請求項３に記載の告知放送受信機によれば、告知放送受信機の電源回路を介して光受信機に電力を供給するので、光受信機の回路電圧と告知放送受信機の回路電圧とを相互に同一とした場合には、光受信機に電源回路を設ける必要がなくなり、光受信システムや光受信機を一層簡易かつ安価に構成することが可能となる。
【００１７】
また、請求項４に記載の告知放送受信機によれば、告知放送受信機のバックアップ電源にて供給された電力を光受信機に供給可能であるため、無給電時においても告知放送受信機に加えて光受信機を動作させることが可能となり、停電時であっても非常用告知放送を確実に行うこと等が可能となる。
【００１８】
また、請求項５に記載の告知放送受信機によれば、告知放送受信機への電力供給の停止を検知する電力供給停止検知手段と、当該告知放送受信機の外部から当該告知放送受信機への電力供給の停止が前記電力供給停止検知手段によって検知されていない場合に、前記光受信機への電力を供給し、当該告知放送受信機の外部から当該告知放送受信機への電力供給の停止が前記電力供給停止検知手段によって検知されている場合に、前記光受信機への電力を遮断する、停電対応用電源遮断手段とを備えたので、告知放送受信機への電力供給が停止された場合には、告知放送受信機から光受信機への電力供給を遮断することができ、告知放送受信機のバックアップ電源による電力が光受信機で消費されることがなくなるので、告知放送を一層長い時間継続することが可能となる。
【図面の簡単な説明】
【００１９】
【図１】本発明の実施の形態１に係る光受信システムの構成図である。
【図２】実施の形態２に係る光受信システムの構成図である。
【図３】実施の形態３に係る光受信システムの構成図である。
【図４】実施の形態４に係る光受信システムの構成図である。
【図５】従来の光伝送システムのブロック図である。
【図６】給電式の光受信機を用いた従来の光受信システムのブロック図である。
【図７】無給電式の光受信機を用いた従来の光受信システムのブロック図である。
【発明を実施するための形態】
【００２０】
以下に添付図面を参照して、この発明に係る告知放送受信機の各実施の形態を詳細に説明する。ただし、これら各実施の形態によって本発明が限定されるものではない。
【００２１】
〔実施の形態１〕
最初に、実施の形態１について説明する。この実施の形態１は、告知放送受信機から給電式の光受信機に電力供給を行う形態である。
【００２２】
（構成）
図１は実施の形態１に係る光受信システムの構成図である。この図１に示すように、光受信システム１は、光受信機１０と、告知放送受信機２０及び複数のＴＶ受像機３０とを、分配器４０及び同軸ケーブル（伝送路）５０を介して図示のように接続して構成されている。また、告知放送受信機２０には、ＡＣアダプタ６０が接続されている。なお、ＴＶ受像機３０、分配器４０、及び同軸ケーブル５０については、公知のものと同様に構成することができるので、その説明を省略する。ただし、光受信機１０への電力供給は、告知放送受信機２０から行われるので、光受信機１０に電力供給を行うためにＴＶ受像機３０と光受信機１０との間に設けられていたパワーインサータや、このパワーインサータに電力を供給するためのＡＣアダプタは省略されている。
【００２３】
（構成−光受信機）
光受信機１０は、給電式の光受信機であって、図示しない光伝送路に接続されている。この光伝送路の上流側では、ヘッドエンド装置等の図示しない入力装置から入力されたＴＶ信号と告知放送信号が混合され、この混合された電気信号が光信号に変換され光伝送路に入力される。この光信号は、光伝送路を介して伝送され、光受信機１０に入力される。光受信機１０は、光終端端末装置（ＯＮＵ）であり、ＰＤ（Ｐｈｏｔｏ  Ｄｉｏｄｅ）、アンプ、及び出力端子を備えており（これら各部の図示は省略する）、ＰＤにて光信号を電気信号（以下、本実施の形態においてＲＦ信号）に変換し、このＲＦ信号をアンプにて増幅して出力端子に出力する。ここで、光受信機１０への電力供給は、後述する告知放送受信機２０の電源回路２２を介して行われるので、光受信機１０の回路電圧と告知放送受信機２０の回路電圧とが相互に等しい場合には、光受信機１０の電源回路を省略することができる。ただし、光受信機１０と告知放送受信機２０の相互の距離が離れている等の理由により、光受信機１０の受電電圧が不安定になる可能性がある場合には、光受信機１０に従来と同様の電源回路を設けてもよい。その他の光受信機１０の構成は、公知の光受信機の構成と同様であるので、その詳細な説明は省略する。
【００２４】
（構成−告知放送受信機）
告知放送受信機２０は、告知放送を受信して出力するものである。この告知放送受信機２０は、入力端子２１、電源回路２２、バックアップ電源２３、検波部２４、スピーカ２５、制御部２６、コイル２７、及びコンデンサ２８を図示のように接続して構成されている。入力端子２１は、光受信機１０からのＲＦ信号の入力を受ける端子である。検波部２４は、入力端子２１に入力されたＲＦ信号から告知放送信号を取得する告知放送信号取得手段である。スピーカ２５は、検波部２４にて取得された告知放送信号を、制御部２６の制御に基づいて音声出力する音声出力手段である。電源回路２２は、告知放送受信機２０の外部から供給された電力（ここでは、ＡＣアダプタ６０から供給された電力）を、告知放送受信機２０における所要の電力に変換して、告知放送受信機２０の各部に供給する電力変換手段である。バックアップ電源２３は、告知放送受信機２０の外部から（ここでは、ＡＣアダプタ６０から）告知放送受信機２０への電力供給が停止された場合に、電源回路２２を介して告知放送受信機２０の各部に電力を供給する電源である。ここでは、バックアップ電源２３は、ＡＣアダプタ６０から供給された直流電力にて充電可能な図示しない二次電池を含んで構成されている。制御部２６は、告知放送受信機２０の各部を制御する制御手段である。コイル２７は、高周波成分を遮断して直流成分等を通過させる高周波遮断手段である。コンデンサ２８は、直流成分を遮断して交流成分のみを通過させる直流遮断手段である。
【００２５】
（動作−給電時）
このように構成された光受信システム１において、ＡＣアダプタ６０により電力が供給されている場合（以下、給電時）には、商用電源からＡＣアダプタ６０にて取得された交流電力が、このＡＣアダプタ６０にて直流電力に変換されて電源回路２２に供給される。この直流電力は、電源回路２２にて告知放送受信機２０の各部に供給されることで、この告知放送受信機２０が動作する。また、この直流電力は、電源回路２２からコイルを介して入力端子２１に供給され、この入力端子２１から同軸ケーブル５０及び分配器４０を介して光受信機１０の出力端子に供給される。光受信機１０は、パワーインサータから直流電力が供給されていた従来の場合と同様に、告知放送受信機２０から供給された直流電力により動作する。
【００２６】
このような給電状態において、光受信機１０にて変換されたＲＦ信号は、同軸ケーブル５０及び分配器４０を介して各ＴＶ受像機３０に入力され、各ＴＶ受像機３０においてＴＶが受像される。また、光受信機１０にて変換されたＲＦ信号は、同軸ケーブル５０及び分配器４０を介して告知放送受信機２０の入力端子２１に入力され、コンデンサ２８を通過して検波部２４に入力される。そして、検波部２４にて取得された告知放送信号により、スピーカ２５から告知放送が行われる。なお、告知放送受信機２０による告知放送が長期間行われないような場合には、意図的に又は誤って、ユーザがＡＣアダプタ６０をコンセントから抜いてしまうことがあるが、このような構成によれば、ＡＣアダプタ６０が抜かれた場合には光受信機１０への電力供給が停止し、ＴＶ受像機３０でのＴＶ視聴ができなくなることから、ＡＣアダプタ６０を意図的に抜くことを防止する動機付けを与えることができ、あるいは、ＡＣアダプタ６０が誤って抜かれたことをユーザに把握させることができるので、ＡＣアダプタ６０が抜かれることを防止して、告知放送を確実に行うことが可能となる効果もある。
【００２７】
（動作−無給電時）
一方、停電等によってＡＣアダプタ６０による電力が供給されていない場合（以下、無給電時）には、バックアップ電源２３の電力が電源回路２２に供給され、この電源回路２２から、告知放送受信機２０の各部に電力が供給されると共に、光受信機１０に電力が供給される。従って、給電時と同様に、光受信機１０及び告知放送受信機２０が動作し、停電時であっても、告知放送受信機２０から非常用告知放送を行うことが可能となる。
【００２８】
（効果）
このように実施の形態１によれば、光受信機１０の電力を告知放送受信機２０から供給可能であるため、光受信機１０に電力供給を行うためのパワーインサータやＡＣアダプタを省略することができ、光受信システム１を簡易かつ安価に構成することが可能となる。
【００２９】
また、光受信機１０から告知放送受信機２０に電気信号を伝送するための伝送路を介して、告知放送受信機２０から光受信機１０に電力を供給するので、光受信機１０と告知放送受信機２０とを従来と同様に接続するだけで、光受信機１０の電力を告知放送受信機２０から供給でき、電力供給用の特別な経路を設ける必要がないので、光受信システム１を一層簡易かつ安価に構成することが可能となる。
【００３０】
また、告知放送受信機２０の電源回路２２を介して光受信機１０に電力を供給するので、光受信機１０の回路電圧と告知放送受信機２０の回路電圧とを相互に同一とした場合には、光受信機１０に電源回路２２を設ける必要がなくなり、光受信システム１や光受信機１０を一層簡易かつ安価に構成することが可能となる。
【００３１】
また、告知放送受信機２０のバックアップ電源２３にて供給された電力を光受信機１０に供給可能であるため、無給電時においても告知放送受信機２０に加えて光受信機１０を動作させることが可能となり、停電時であっても非常用告知放送を確実に行うこと等が可能となる。
【００３２】
〔実施の形態２〕
次に、本発明に係る実施の形態２について詳細に説明する。この実施の形態２は、告知放送受信機から無給電式の光受信機に電力供給を行う形態である。ただし、特に説明なき構成要素や動作は実施の形態１の構成や動作と同様であるものとし、実施の形態１と同様の構成要素や動作には、必要に応じて、実施の形態１で使用したものと同一の符号を付してその説明を省略する。
【００３３】
（構成）
図２は実施の形態２に係る光受信システムの構成図である。この図２に示すように、光受信システム２は、光受信機７０と、告知放送受信機８０及びＴＶ受像機３０とを、同軸ケーブル５０を介して図示のように接続して構成されている。なお、ここでは、ＴＶ受像機３０を１台のみ示しているが、実施の形態１と同様に、分配器４０を介して複数のＴＶ受像機３０を接続してもよい（後述する実施の形態３及び実施の形態４において同じ）。
【００３４】
（構成−光受信機）
光受信機７０は、無給電式の光受信機であって、ＰＤ７１、短絡路７２、アンプ７３、ＲＦ信号出力端子７４、ＦＭ信号出力端子７５、電源回路７６、コンデンサ７７、及びコイル７８、７９を図示のように接続して構成されている。ＰＤ７１は、光信号を電気信号に変換する光電変換手段である。短絡路７２は、無給電時にＰＤ７１を短絡させるための短絡手段であり、スイッチ７２ａを備えて構成されている。アンプ７３は、ＰＤ７１のアノード側に接続されており、ＰＤ７１にて変換されたＲＦ信号を増幅してＲＦ信号出力端子７４に出力する。ＲＦ信号出力端子７４は、アンプ７３にて増幅されたＲＦ信号をＴＶ受像機３０に出力する。ＦＭ信号出力端子７５は、ＰＤ７１にて変換されたＲＦ信号から取得されたＦＭ信号を出力する。電源回路７６は、告知放送受信機８０から供給された電力を、光受信機７０における所要の電力に変換して、光受信機７０の各部に供給する電力変換手段である。コンデンサ７７は、直流成分を遮断して交流成分のみを通過させる直流遮断手段である。コイル７８、７９は、高周波成分を遮断して直流成分等を通過させる高周波遮断手段である。
【００３５】
この無給電式の光受信機７０は、図２に示す構成要素に加えて公知の構成要素を備えることができ、告知放送受信機８０から電力が供給されている時には当該電力で動作し、告知放送受信機８０から電力が供給されていない時には無給電で動作する。このような無給電式の光受信機７０のさらに具体的な構成としては、例えば、本願発明者による特願２００９−１５７２０９や特願２００９−１５７２１０（ただし、本願出願時において未公開）の図１等に開示の構成を採用することができる。
【００３６】
（構成−告知放送受信機）
告知放送受信機８０は、実施の形態１の告知放送受信機２０とほぼ同様に構成されているが、ＡＣアダプタ６０からの電力は、電源回路２２とバックアップ電源２３に供給されると共に、さらに、電源回路２２を経ることなく直接的に入力端子２１に供給可能となっている点で異なる。
【００３７】
（動作−給電時）
このように構成された光受信システム２において、給電時には、商用電源から取得された交流電力は、ＡＣアダプタ６０にて直流電力に変換されて電源回路２２に供給され、この直流電力が、電源回路２２にて告知放送受信機８０の各部に供給されることで、この告知放送受信機８０が動作する。また、ＡＣアダプタ６０にて変換された直流電力は、電源回路２２を介することなくコイル２７を介して入力端子２１に供給され、この入力端子２１から同軸ケーブル５０を介して光受信機７０のＦＭ信号出力端子７５に供給される。光受信機７０では、告知放送受信機８０から供給された直流電力が電源回路７６を介して、光受信機７０の各部に供給されることで、この光受信機７０が動作する。
【００３８】
このような給電状態において、光受信機７０では、短絡路７２のスイッチ７２ａが開状態とされてＰＤ７１は非短絡状態となっており、電源回路７６から給電された逆電圧がＰＤ７１に印加され、このＰＤ７１にて光電変換が行われたＲＦ信号が出力される。このＲＦ信号は、ＲＦ信号出力端子７４から出力される。このＲＦ信号は、各ＴＶ受像機３０に入力され、各ＴＶ受像機３０においてＴＶが受像される。また、光受信機７０において、ＰＤ７１から出力されたＲＦ信号は、ＰＤ７１とＦＭ信号出力端子７５との間に設けた図示しないＦＭＢＰＦ（ＦＭ  Ｂａｎｄ  Ｐａｓｓ  Ｆｉｌｔｅｒ）に入力され、このＦＭＢＰＦを通過したＦＭ信号がＦＭ信号出力端子７５から出力される。このＦＭ信号は、告知放送受信機８０の入力端子２１に入力され、コンデンサ２８を通過して検波部２４に入力される。そして、検波部２４にて取得された告知放送信号により、スピーカ２５から告知放送が行われる。
【００３９】
（動作−無給電時）
また、無給電時には、バックアップ電源２３の電力が電源回路２２に供給され、電源回路２２から、告知放送受信機８０の各部に電力が供給される。従って、給電時と同様に、告知放送受信機８０が動作する。また、光受信機７０においては、短絡路７２のスイッチ７２ａが公知の方法で閉状態とされてＰＤ７１は短絡状態となっており、無バイアスモードで駆動されたＰＤ７１にエネルギ・バンドキャップ以上の光エネルギーが入射されると、この光エネルギーが空乏層で吸収され、伝導電子と正孔との生成及びドリフトが行われることにより、光強度に比例した起電力が発生する。この起電力により生成されたＲＦ信号は、短絡路７２のスイッチ７２ａに直列接続された図示しないＦＭＢＥＦ（ＦＭ  Ｂａｎｄ  Ｅｌｉｍｉｎａｔｅ  Ｆｉｌｔｅｒ）を通過することにより、ＦＭ信号のみが非短絡状態となって電圧を持ち、ＦＭ信号出力端子７５から出力される。そして、このＦＭ信号が告知放送受信機８０の入力端子２１に入力されることにより、給電時と同様に告知放送が行われる。従って、給電時と同様に、光受信機７０及び告知放送受信機８０が動作し、停電時であっても、告知放送受信機８０から非常用告知放送を行うことが可能となる。
【００４０】
（効果）
このように実施の形態２によれば、実施の形態１の効果に加えて、光受信機７０は無給電式の光受信機であり、告知放送信号を告知放送受信機８０に伝送するための同軸ケーブル５０を介して告知放送受信機８０から光受信機７０に電力を供給するので、無給電時には、光受信機７０は告知放送受信機８０から電力供給を受けることなく無給電動作が可能であり、告知放送受信機８０のバックアップ電源２３による電力が光受信機７０で消費されることがなくなるので、停電時等においては、告知放送を一層長い時間継続することが可能となる。
【００４１】
〔実施の形態３〕
次に、本発明に係る実施の形態３について詳細に説明する。この実施の形態３は、告知放送受信機から無給電式の光受信機に電力供給を行う形態であって、告知放送信号に重畳された放送制御信号に基づいて光受信機への電力を供給又は遮断する形態である。ただし、特に説明なき構成要素や動作は実施の形態２の構成や動作と同様であるものとし、実施の形態２と同様の構成要素や動作には、必要に応じて、実施の形態２で使用したものと同一の符号を付してその説明を省略する。
【００４２】
（構成）
図３は実施の形態３に係る光受信システムの構成図である。この図３に示すように、光受信システム３は、光受信機７０と、告知放送受信機９０及びＴＶ受像機３０とを、同軸ケーブル５０を介して図示のように接続して構成されている。
【００４３】
（構成−告知放送受信機）
告知放送受信機９０は、実施の形態２の告知放送受信機８０とほぼ同様に構成されている。ただし、ＡＣアダプタ６０から入力端子２１に至る電力供給経路上には、スイッチ９１が設けられている。また、検波部９２は、実施の形態２の検波部２４と同様の機能に加えて、告知放送信号に重畳された放送制御信号を取得する放送制御信号取得手段としての機能を有し、制御部９３は、実施の形態２の制御部２６と同様の機能に加えて、検波部９２にて取得された放送制御信号に基づいて光受信機７０への電力を供給又は遮断する放送制御用電源遮断手段としての機能を有する。すなわち、本実施の形態においては、光伝送路の上流側では、必要に応じて告知放送信号に放送制御信号が重畳され、この放送制御信号に基づいて、告知放送受信機９０から光受信機７０へ電力を供給又は遮断することで、光受信機７０をいわゆるアドレッサブルＯＮＵとして動作させる。
【００４４】
（動作−ＴＶ放送時）
このように構成された光受信システム３において、通常はスイッチ９１が制御部９３により閉状態に制御されており、実施の形態２と同様に、給電時には、ＡＣアダプタ６０にて変換された直流電力により告知放送受信機９０と光受信機７０が動作し、無給電時には、バックアップ電源２３からの直流電力により告知放送受信機９０が動作すると共に、光受信機７０が無給電にて動作する。
【００４５】
（動作−給電時及び無給電時−ＴＶ放送遮断時）
このような給電時及び無給電時において、検波部９２は、告知放送信号に重畳された放送制御信号を常時取得して制御部９３に出力し、制御部９３は、検波部９２からの放送制御信号の出力を常時監視しており、放送制御信号が出力された場合には、当該放送制御信号によって示される制御コマンドを公知の方法で解析する。そして、制御コマンドが、ＴＶ放送の遮断を指示するコマンドであった場合、制御部９３は、スイッチ９１を開状態に制御する。この場合には、告知放送受信機９０は、ＡＣアダプタ６０又はバックアップ電源２３からの直流電力により動作を継続するが、光受信機７０は、告知放送受信機９０からの電力供給が遮断されることから無給電動作を行い、ＲＦ信号の出力を停止し、ＦＭ信号のみを出力することとなる。従って、ＴＶ受像機３０におけるＴＶ受像ができないことになり、視聴制限が行われることになる。一方、ＦＭ信号による告知放送は継続されるので、告知放送受信機９０から非常用告知放送を行うことが可能になる。
【００４６】
（動作−給電時及び無給電時−ＴＶ放送復旧時）
その後も、同様に、検波部９２による放送制御信号の取得と、制御部９３による放送制御信号の監視と制御コマンドの解析が継続的に行われ、制御コマンドが、ＴＶ放送の復旧を指示するコマンドであった場合に、制御部９３は、スイッチ９１を閉状態に制御する。このことにより、ＴＶ放送遮断前と同様に、ＴＶ受像機３０によるＴＶ受像と、告知放送受信機９０による告知放送が可能となる。このように、ＴＶ放送遮断時においても、ＦＭ信号に重畳される放送制御信号を告知放送受信機に継続的に入力できるので、ＴＶ放送の復旧制御を行うことも可能になる。
【００４７】
（効果）
このように実施の形態３によれば、実施の形態２の効果に加えて、放送制御信号を取得する検波部９２と、この放送制御信号に基づいて光受信機７０への電力を供給又は遮断する制御部９３とを備えたので、光受信機７０をいわゆるアドレッサブルＯＮＵとして動作させることが可能になり、ＴＶ放送の遮断や復旧を遠隔制御することができる。
【００４８】
〔実施の形態４〕
次に、本発明に係る実施の形態４について詳細に説明する。この実施の形態４は、告知放送受信機から無給電式の光受信機に電力供給を行う形態であって、告知放送受信機への電力供給の停止を検知し、この検知結果に基づいて光受信機への電力を供給又は遮断する形態である。ただし、特に説明なき構成要素や動作は実施の形態３の構成や動作と同様であるものとし、実施の形態３と同様の構成要素や動作には、必要に応じて、実施の形態３で使用したものと同一の符号を付してその説明を省略する。
【００４９】
（構成）
図４は実施の形態４に係る光受信システムの構成図である。この図４に示すように、光受信システム４は、光受信機１００と、告知放送受信機１１０及びＴＶ受像機３０とを、同軸ケーブル５０を介して図示のように接続して構成されている。
【００５０】
（構成−光受信機）
光受信機１００は、実施の形態３と同様に構成されている。ただし、光受信機１００への電力供給は、告知放送受信機１１０の電源回路２２を介して行われ、さらにここでは、光受信機１００の回路電圧と告知放送受信機１１０の回路電圧とが相互に等しくないものとされているため、光受信機１００の電源回路は省略されている。ただし、光受信機１００と告知放送受信機１１０の相互の距離が離れている等の理由により、光受信機１００の受電電圧が不安定になる可能性がある場合には、実施の形態３と同様に、光受信機１００に電源回路７６を設けてもよい。
【００５１】
（構成−告知放送受信機）
告知放送受信機１１０は、実施の形態３の告知放送受信機９０とほぼ同様に構成されている。ただし、ＡＣアダプタ６０から供給された電力は、電源回路２２を介してスイッチ９１に供給される。また、告知放送受信機１１０には、停電検出部（電力供給停止検知部）１１１が設けられている。この停電検出部１１１は、告知放送受信機１１０の外部から（ここでは、ＡＣアダプタ６０から）告知放送受信機１１０への電力供給の停止を検知する電力供給停止検知手段であり、例えば、ＡＣアダプタ６０から電源回路２２やバックアップ電源２３に至る線路における電流値を公知の方法で検知することで、電力供給の停止を検知する。なお、告知放送受信機１１０の外部から告知放送受信機１１０への電力供給が停止される場合とは、通常は停電が発生した場合であるため、停電検出部１１１は、停電の有無を検知する停電検知手段であってもよい。また、制御部１１２は、実施の形態３の制御部９３と同様の機能に加えて、停電検出部１１１による検知結果に基づいて光受信機１００への電力を供給又は遮断する停電対応用電源遮断手段としての機能を有する。
【００５２】
（動作−給電時）
このように構成された光受信システム４において、通常はスイッチ９１が制御部１１２により閉状態に制御されており、給電時には、実施の形態３と同様に、ＡＣアダプタ６０にて変換された直流電力により告知放送受信機１１０と光受信機１００が動作される。
【００５３】
（動作−無給電時）
一方、無給電時には、バックアップ電源２３からの電力が電源回路２２を介して告知放送受信機１１０の各部に供給されることで、告知放送受信機１１０が動作する。ここで、図４の構成では、電源回路２２を介して光受信機１００への電力供給が行われているので、バックアップ電源２３からの電力が電源回路２２に供給された場合には、この電力が光受信機１００で消費されてしまう。このことを防止するため、停電検出部１１１は、告知放送受信機１１０への電力供給の停止を監視しており、電力供給の停止を検知した場合には、電力供給停止検知信号を制御部１１２に出力する。制御部１１２は、停電検出部１１１からの電力供給停止検知信号の出力を監視しており、電力供給停止検知信号が出力された場合には、スイッチ９１を開状態に制御することで、告知放送受信機１１０から光受信機１００への電力供給を遮断する。ただし、このように電力供給が遮断された場合であっても、光受信機１００は、実施の形態３と同様に、無給電動作を行う。
【００５４】
（動作−無給電復旧時）
その後、告知放送受信機１１０への電力供給が再開されたことを検知した場合、停電検出部１１１は、電力供給再開検知信号を制御部１１２に出力する。制御部１１２は、停電検出部１１１からの電力供給再開検知信号の出力を監視しており、電力供給再開検知信号が出力された場合には、スイッチ９１を閉状態に制御することで、告知放送受信機１１０から光受信機１００への電力の供給を再開する。なお、本実施の形態においても、放送制御信号に基づいてスイッチ９１が開閉制御されることで、光受信機１００をアドレッサブルＯＮＵとして動作させることが可能であるが、この制御動作は実施の形態３と同じであるためその説明を省略する。
【００５５】
（効果）
このように実施の形態４によれば、実施の形態３の効果に加えて、告知放送受信機１１０への電力供給の停止を検知する停電検出部１１１と、この停電検出部１１１による検知結果に基づいて光受信機１００への電力を供給又は遮断する制御部１１２とを備えたので、告知放送受信機１１０への電力供給が停止された場合には、告知放送受信機１１０から光受信機１００への電力供給を遮断することができ、告知放送受信機１１０のバックアップ電源２３による電力が光受信機１００で消費されることがなくなるので、告知放送を一層長い時間継続することが可能となる。
【００５６】
〔各実施の形態に対する変形例〕
以上、本発明の各実施の形態について説明したが、本発明の具体的な構成及び手段は、特許請求の範囲に記載した各発明の技術的思想の範囲内において、任意に改変及び改良することができる。以下、このような変形例について説明する。
【００５７】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。
【００５８】
（光受信機や告知放送受信機の具体的な回路構成について）
光受信機１０、７０、１００や告知放送受信機２０、８０、９０、１１０の具体的な回路構成としては、各実施の形態で示した回路構成以外にも、公知の回路構成を適用することができる。
【００５９】
（付記）
付記１の光受信システムは、光伝送路を介して送信された光信号を電気信号に変換する光受信機と、この光受信機にて変換された電気信号により告知放送を行う告知放送受信機とを備えた光受信システムであって、前記光受信機の電力を、前記告知放送受信機から供給可能である。
【００６０】
また、付記２の光受信システムは、付記１に記載の光受信システムにおいて、前記光受信機は、前記電気信号を前記告知放送受信機に出力するための出力端子を備え、前記告知放送受信機は、前記光受信機からの前記電気信号の入力を受ける入力端子を備え、前記光受信機の前記出力端子と前記告知放送受信機の入力端子を伝送路にて接続し、前記伝送路を介して、前記告知放送受信機の前記入力端子から前記光受信機の前記出力端子に電力を供給する。
【００６１】
また、付記３の光受信システムは、付記１又は２に記載の光受信システムにおいて、前記告知放送受信機は、当該告知放送受信機の外部から供給された電力を当該告知放送受信機における所要の電力に変換する電源回路を備え、当該告知放送受信機の外部から供給された電力を前記電源回路を介して前記光受信機に供給し、前記光受信機の回路電圧と前記告知放送受信機の回路電圧とを相互に同一とした。
【００６２】
また、付記４の光受信システムは、付記１から３のいずれか一項に記載の光受信システムにおいて、前記告知放送受信機は、当該告知放送受信機の外部から当該告知放送受信機への電力供給が停止された場合の電源となるバックアップ電源を備え、当該バックアップ電源にて供給された電力を前記光受信機に供給可能である。
【００６３】
また、付記５の光受信システムは、付記１から４のいずれか一項に記載の光受信システムにおいて、前記光受信機は、当該光受信機への電力供給時には前記電気信号としてＴＶ信号と告知放送信号を出力し、当該光受信機への電力非供給時には前記電気信号として告知放送信号のみを出力する無給電式の光受信機であり、前記告知放送信号を前記告知放送受信機に伝送するための伝送路を介して、前記告知放送受信機から前記光受信機に電力を供給する。
【００６４】
また、付記６の光受信システムは、付記５に記載の光受信システムにおいて、前記告知放送受信機は、前記告知放送信号に重畳された放送制御信号を取得する放送制御信号取得手段と、前記放送制御信号取得手段にて取得された放送制御信号に基づいて前記光受信機への電力を供給又は遮断する放送制御用電源遮断手段とを備える。
【００６５】
また、付記７の光受信システムは、付記１から６のいずれか一項に記載の光受信システムにおいて、前記告知放送受信機は、当該告知放送受信機の外部から当該告知放送受信機への電力供給の停止を検知する電力供給停止検知手段と、前記電力供給停止検知手段による検知結果に基づいて前記光受信機への電力を供給又は遮断する停電対応用電源遮断手段とを備える。
【００６６】
また、付記８の告知放送受信機は、光伝送路を介して送信された光信号を電気信号に変換する光受信機に接続され、当該光受信機にて変換された電気信号により告知放送を行う告知放送受信機であって、前記光受信機の電力を供給可能である。
【００６７】
また、付記９の告知放送受信機は、付記８に記載の告知放送受信機において、前記光受信機からの前記電気信号の入力を受ける入力端子を備え、前記入力端子から前記光受信機に電力を供給する。
【００６８】
また、付記１０の告知放送受信機は、付記８又は９に記載の告知放送受信機において、当該告知放送受信機の外部から供給された電力を当該告知放送受信機における所要の電力に変換する電源回路を備え、当該告知放送受信機の外部から供給された電力を前記電源回路を介して前記光受信機に供給する。
【００６９】
また、付記１１の告知放送受信機は、付記１０に記載の告知放送受信機において、前記告知放送受信機は、当該告知放送受信機の外部から当該告知放送受信機への電力供給が停止された場合の電源となるバックアップ電源を備え、当該バックアップ電源にて供給された電力を前記電源回路を介して前記光受信機に供給可能である。
【００７０】
また、付記１２の告知放送受信機は、付記１１に記載の告知放送受信機において、前記電気信号として前記光受信機から入力された告知放送信号に重畳された放送制御信号を取得する放送制御信号取得手段と、前記放送制御信号取得手段にて取得された放送制御信号に基づいて前記光受信機への電力を供給又は遮断する放送制御用電源遮断手段とを備える。
【００７１】
また、付記１３の告知放送受信機は、付記８から１２のいずれか一項に記載の告知放送受信機において、当該告知放送受信機の外部から当該告知放送受信機への電力供給の停止を検知する電力供給停止検知手段と、前記電力供給停止検知手段による検知結果に基づいて前記光受信機への電力を供給又は遮断する停電対応用電源遮断手段とを備える。
【００７２】
(付記の効果）
このように、付記１に記載の光受信システム又は付記８に記載の告知放送受信機によれば、光受信機の電力を告知放送受信機から供給可能であるため、光受信機に電力供給を行うためのパワーインサータやＡＣアダプタを省略することができ、光受信システムを簡易かつ安価に構成することが可能となる。
【００７３】
また、付記２に記載の光受信システム又は付記９に記載の告知放送受信機によれば、光受信機から告知放送受信機に電気信号を伝送するための伝送路を介して、告知放送受信機から光受信機に電力を供給するので、光受信機と告知放送受信機とを従来と同様に接続するだけで、光受信機の電力を告知放送受信機から供給でき、電力供給用の特別な経路を設ける必要がないので、光受信システムを一層簡易かつ安価に構成することが可能となる。
【００７４】
また、付記３に記載の光受信システム又は付記１０に記載の告知放送受信機によれば、告知放送受信機の電源回路を介して光受信機に電力を供給するので、光受信機の回路電圧と告知放送受信機の回路電圧とを相互に同一とした場合には、光受信機に電源回路を設ける必要がなくなり、光受信システムや光受信機を一層簡易かつ安価に構成することが可能となる。
【００７５】
また、付記４に記載の光受信システム又は付記１１に記載の告知放送受信機によれば、告知放送受信機のバックアップ電源にて供給された電力を光受信機に供給可能であるため、無給電時においても告知放送受信機に加えて光受信機を動作させることが可能となり、停電時であっても非常用告知放送を確実に行うこと等が可能となる。
【００７６】
また、付記５に記載の光受信システムによれば、光受信機は無給電式の光受信機であり、告知放送信号を告知放送受信機に伝送するための伝送路を介して告知放送受信機から光受信機に電力を供給するので、無給電時には、光受信機は告知放送受信機から電力供給を受けることなく動作可能であり、告知放送受信機が無給電時にバックアップ電源で動作する場合であっても、このバックアップ電源による電力が光受信機で消費されることがなくなるので、停電時等においては、告知放送を一層長い時間継続することが可能となる。
【００７７】
また、付記６に記載の光受信システム又は付記１２に記載の告知放送受信機によれば、放送制御信号を取得する放送制御信号取得手段と、この放送制御信号に基づいて光受信機への電力を供給又は遮断する放送制御用電源遮断手段とを備えたので、光受信機をいわゆるアドレッサブルＯＮＵとして使用することが可能になり、ＴＶ放送の遮断や復旧を遠隔制御することができる。
【００７８】
また、付記７に記載の光受信システム又は付記１３に記載の告知放送受信機によれば、告知放送受信機への電力供給の停止を検知する電力供給停止検知手段と、この電力供給停止検知手段による検知結果に基づいて光受信機への電力を供給又は遮断する停電対応用電源遮断手段とを備えたので、告知放送受信機への電力供給が停止された場合には、告知放送受信機から光受信機への電力供給を遮断することができ、告知放送受信機のバックアップ電源による電力が光受信機で消費されることがなくなるので、告知放送を一層長い時間継続することが可能となる。
【符号の説明】
【００７９】
１、２、３、４  光受信システム
１０、７０、１００、２００、２０２  光受信機
２０、８０、９０、１１０、２０５  告知放送受信機
２１  入力端子
２２、７６  電源回路
２３  バックアップ電源
２４、９２  検波部
２５  スピーカ
２６、９３、１１２  制御部
２７、７８、７９  コイル
２８、７７  コンデンサ
３０、２０４  ＴＶ受像機
４０  分配器
５０  同軸ケーブル
６０、２０７、２０８  ＡＣアダプタ
７１  ＰＤ
７２  短絡路
７２ａ、９１  スイッチ
７３  アンプ
７４  ＲＦ信号出力端子
７５  ＦＭ信号出力端子
１１１  停電検出部
２０１  光増幅器
２０３  光ケーブル
２０６  パワーインサータ
【図１】
0005856270.tif 000002
【図２】
0005856270.tif 000003
【図３】
0005856270.tif 000004
【図４】
0005856270.tif 000005
【図５】
0005856270.tif 000006
【図６】
0005856270.tif 000007
【図７】
0005856270.tif 000008